(57)【要約】【課題】伝熱効率が良く、製造が容易であり、また作動液も比較的少なくてすみ、しかも水平状態に配設して使用することができるヒートパイプとそれを使用した放熱装置を提供する。【解決手段】放熱装置である床暖房用パネルＢの内部には、電熱式で細長い板状のヒートパイプ４がパネル体に対し水平状態で設けてある。ヒートパイプ４は、作動流体４２が封入され、平らまたは実質的に平らな放熱面である上面部４１を備えたパイプ本体４０と、パイプ本体４０のうち、作動流体４２が溜まっている部分の外部側に、周面部が接した状態で埋め込まれている電熱線５３を有している。【選択図】　　　図４
2004092944.tif 000002
【特許請求の範囲】
【請求項１】
作動流体（４２）が封入され、平らまたは実質的に平らな放熱面（４１）を備えた閉鎖管（４０）と、
該閉鎖管（４０）のうち、作動流体（４２）が溜まっている部分の外部側に、周面部が接した状態で埋め込まれている電熱線（５３）と、
を有していることを特徴とする、
ヒートパイプ。
【請求項２】
床暖房用として使用するパネル状の放熱装置であって、
放熱手段として、請求項１記載のヒートパイプ（４）を備えていることを特徴とする、
放熱装置。
【請求項３】
被覆体の下に放熱装置を設置した際に被覆体側に位置する放熱体（５１）を備えており、ヒートパイプ（４，４）間に設けられる電源コード（７１）を、上記放熱体（５１）の表面から露出しないように収容する収容部（６）を備えていることを特徴とする、
請求項２記載の放熱装置。
【請求項４】
足を温めるために使用する放熱装置であって、
放熱手段として、請求項１記載のヒートパイプ（４）を備えていることを特徴とする、
放熱装置。
【請求項５】
放熱手段として、請求項１記載のヒートパイプ（４）を備えていることを特徴とする、
放熱装置。
【発明の詳細な説明】
【０００１】
【発明の属する技術分野】
本発明はヒートパイプとそれを使用した放熱装置に関する。
更に詳しくは、伝熱効率が良く、製造が容易であり、また作動液も比較的少なくてすみ、しかも水平状態に配設して使用することができるヒートパイプとそれを使用した放熱装置に関する。
また、上記ヒートパイプを使用した床暖房用の放熱装置において、放熱装置の床面への敷き込み作業中に、作業者が放熱装置の電源コードに足を引っかけるような不都合を防止したものに関する。
【０００２】
【従来技術】
一般に、ヒートパイプは、真空脱気した状態の金属パイプ内に少量の揮発性の作動流体（熱媒用流体、作動液とも称される）を充填したものである。そして、傾斜したヒートパイプの一端側を加熱すると、内部の作動流体が蒸発して他端側に移り、そこで放熱、凝縮し、再び重力によって一端側へ還流する。
【０００３】
このように、ヒートパイプは、作動流体が蒸発、移動、凝縮、還流を繰り返すことにより、ヒートパイプの一端側の高温部から他端側の低温部まで熱を連続的に移動させる。
【０００４】
しかしながら、上記した従来のヒートパイプは、蒸発して凝縮された作動流体が重力により還流する構成となっているため、ヒートパイプを配設する場合は、必然的に作動流体を還流させるための勾配が必要となっていた。よって、ヒートパイプを横に倒した状態で配設する場合、勾配があるとヒートパイプを延長して設けることが困難である上、ヒートパイプの配設方向によっては放熱量にムラが生じてしまう。このように、勾配を必要とする点がヒートパイプの利用分野を狭める要因となっていた。
【０００５】
この問題点に対し、本発明者の一人は特開平１０−２８８４８２号公報において、水平状態に配設して使用できるヒートパイプを提案した。
【０００６】
図１６はそのヒートパイプの示す説明図で、図１６（ａ）はヒートパイプの縦断面説明図、図１６（ｂ）はヒートパイプの横断面拡大説明図である。このヒートパイプ８は図示の通り、作動流体を封入した真空パイプ８１と、真空パイプ８１の内周面に近接した状態で貫通させ、内部に湯等を循環させた熱源パイプ８２を有する二重管構造となっている。
【０００７】
更に図１７は他のヒートパイプの説明図で、図１７（ａ）はヒートパイプの縦断面説明図、図１７（ｂ）はヒートパイプの横断面拡大説明図である。このヒートパイプ９では、溶接などの方法により、真空パイプ９１の外周面に熱源パイプ９２を当接させた状態で設けている。
【０００８】
【発明が解決しようとする課題】
上記ヒートパイプは、作動流体を真空パイプ８１の長手方向ではなく、幅方向の内曲面に沿って還流させることで、水平状態で配設して使用することができる。よって、様々な分野での利用が可能となり、十分に実用的である。しかしながら、以下に示す点において更なる改良の余地を残していた。
【０００９】
即ち、図１６に示すヒートパイプ８は二重管構造となっているため、その製造に手間がかかり、コスト高を招いていた。
【００１０】
他方、図１７に示すヒートパイプ９では、真空パイプ９１の外周面に熱源パイプ９２を設けているので、図１６に示すヒートパイプに比べてその製造は比較的容易であるが、真空パイプ９１と熱源パイプ９２の接触面積が小さいため、伝熱効率が悪いという欠点があった。更に、図１６に示すヒートパイプ８と相違して、熱源パイプ９２が作動流体の中に埋設されていないので、熱源パイプ９２によって排除される作動流体はなく、その分、多くの量の作動流体を必要としていた。
【００１１】
（発明の目的）
そこで本発明の目的は、伝熱効率が良く、製造が容易であり、また作動液も比較的少なくてすみ、しかも水平状態に配設して使用することができるヒートパイプとそれを使用した放熱装置を提供することにある。
本発明の他の目的は、上記ヒートパイプを使用した床暖房用の放熱装置において、放熱装置の床面への敷き込み作業中に、作業者が放熱装置の電源コードに足を引っかけるような不都合を防止することにある。
【００１２】
【課題を解決するための手段】
上記目的を達成するために講じた本発明の手段は次のとおりである。
第１の発明にあっては、
作動流体が封入され、平らまたは実質的に平らな放熱面を備えた閉鎖管と、
該閉鎖管のうち、作動流体が溜まっている部分の外部側に、周面部が接した状態で埋め込まれている電熱線と、
を有していることを特徴とする、
ヒートパイプである。
【００１３】
第２の発明にあっては、
床暖房用として使用するパネル状の放熱装置であって、
放熱手段として、第１の発明に係るヒートパイプを備えていることを特徴とする、
放熱装置である。
【００１４】
第３の発明にあっては、
被覆体の下に放熱装置を設置した際に被覆体側に位置する放熱体を備えており、ヒートパイプ間に設けられる電源コードを、上記放熱体の表面から露出しないように収容する収容部を備えていることを特徴とする、
第２の発明に係る放熱装置である。
【００１５】
第４の発明にあっては、
足を温めるために使用する放熱装置であって、
放熱手段として、第１の発明に係るヒートパイプを備えていることを特徴とする、
放熱装置である。
【００１６】
第５の発明にあっては、
放熱手段として、第１の発明に係るヒートパイプを備えていることを特徴とする、
放熱装置である。
【００１７】
本発明に係るヒートパイプは、床暖房パネルや足温器等の放熱装置に好適に使用することができる。また土壌中や農業用ハウスや植栽用トレイ、あるいは地中に配設し土壌を加熱して消毒したり、農業用ハウス内の暖房や、植栽用トレイ中の土壌の加温や、融雪用、畜産用（産まれた子豚の加温用等）などにも好適に使用することができる。
【００１８】
（作　用）
本発明に係るヒートパイプは、次のように作用する。
閉鎖管のうち、作動流体が溜まっている部分の外部側に設けてある電熱線により、閉鎖管は加熱される。加熱されることで作動流体は蒸発し、蒸発した作動流体は天井部分で凝縮し、閉鎖管の外へ熱を放出する。凝縮した作動流体は滴下または内壁面を伝って下方へ移動し、加熱されることで再び蒸発する。
【００１９】
本発明では、電熱線は、閉鎖管のうち、作動流体が溜まっている部分の外部側に、周面部が接した状態で埋め込まれている。これにより、閉鎖管の外周面に電熱線を単に接触させる場合（いわゆる線接触状態）と比べ、閉鎖管と電熱線との接触面積を増大させることができる。このような構成により、熱は電熱線から閉鎖管内の作動流体に効率的に伝わり、熱損失は少ない。
【００２０】
また本発明では、閉鎖管の放熱面は平らまたは実質的に平らになっている。よって、閉鎖管の放熱面に金属製の放熱板等を接して設ければ、閉鎖管と放熱板との接触面積を広くとることができる。
このような構成により、本発明に係るヒートパイプの伝熱効率は良く、熱損失は少ない。
【００２１】
以上のようなことから、ヒートパイプの放熱量を基準にすれば、熱の損失が少ない分だけ、電熱線の温度を下げることができる。したがって、本発明に係るヒートパイプを床暖房用パネルや足温器等の放熱装置に採用すれば、ランニングコストを低減させることができる。
【００２２】
ヒートパイプ間に設けられる電源コードを収容する収容部を備えている床暖房用の放熱装置では、電源コードを放熱体の表面から露出しないように収容できるので、放熱装置の敷き込み作業中に、作業者が電源コードに足を引っかけて電源コードが外れたり、破損したりすることを防止できる。
【００２３】
【発明の実施の形態】
本発明を図面に示した実施の形態に基づき更に詳細に説明する。
［実施の形態１］＜床暖房構造＞
図１は、本発明に係る放熱装置を床暖房構造に使用した場合の一実施の形態を示す概略斜視説明図であり、一部を断面または省略して内部構成が分かるようにしたものである。
【００２４】
図２ないし図７は、本発明に係る放熱装置である床暖房用パネルの一実施の形態を示す説明図である。
詳しくは、図２は床暖房用パネルの平面視説明図、
図３は床暖房用パネルの左側面視拡大説明図、
図４は図２のＩ−Ｉ部分に対応する断面を示す概略拡大説明図であり、底面部の絶縁シートを分離した状態を示している。
図５は図２のＩＩ−ＩＩ部分に対応する断面を示す概略拡大説明図、
図６は床暖房用パネルの底面視拡大説明図であり、底面部の絶縁シートを分離した状態を示している。
図７は床暖房用パネルの収容部を示す拡大斜視説明図である。
【００２５】
図１に示すように床暖房構造Ａは、予め施工された小根太１，…間に、パネル状の放熱装置である床暖房用パネルＢ（図２参照）を複数敷き込み、この上に被覆体（床材）であるフローリング床２，…を張設することで構成される。図１で符号３は、床暖房用パネルＢのコントローラーを示している。
【００２６】
図２ないし図７を参照して、床暖房用パネルＢについて説明する。
図２及び図３に示すように、床暖房用パネルＢは平面視で細長い矩形状に形成されている。本実施の形態では、床暖房用パネルＢの大きさは、縦約３００ｍｍ、長さ約１８００ｍｍ、厚さ約１３．３ｍｍであるが、この寸法に特に限定するものではない。
【００２７】
また、例えば床暖房用パネルＢの長さを７００ｍｍ、１８００ｍｍ、２７００ｍｍ等と数種類揃えておき、施工面積にあった長さのパネルを適宜選択することもできる。また、上記異なる長さのパネルを複数種類組み合わせて使用することもできる。
【００２８】
床暖房用パネルＢの内部には、図２、図４及び図６に示すように、電熱式で細長い板状のヒートパイプ４がパネル体に対し水平状態で設けてある。ヒートパイプ４は、床暖房用パネルＢの幅方向のほぼ中央部分に位置している。
【００２９】
図４でヒートパイプ４の上面部４１は、床暖房用パネルＢの表面部を構成するアルミニウム製の放熱板５１に底面側から接している。なお、放熱板５１は、フローリング床２の下に床暖房用パネルＢを設置した際に、フローリング床２側に位置する。ヒートパイプ４により、放熱板５１は底面側から加熱され、上面側へ放熱する。なお、放熱板５１は、銅やステンレス等の他の金属や合金を使用することもできる。
【００３０】
図４に示すように、ヒートパイプ４は、底面側からアルミニウム製のテープ５２（図６では省略）で覆われている。これにより、ヒートパイプ４から放熱板５１への熱伝導を高めている。ヒートパイプ４の詳しい構造については、後述する。
【００３１】
図４及び図６で、符号５３はヒートパイプ４の電熱線（ヒーター線とも称される）を示し、符号５４ａは板状の温度センサを示し、符号５４ｂは棒状の温度センサを示している。符号５６ａ，５６ｂ，５６ｂ，５６ｃ，５６ｄは、発泡体である断熱材を示している。
【００３２】
図６に示すように、ヒートパイプ４は断熱材５６ａ，５６ｂ，５６ｂ，５６ｃによって四方を囲まれた空隙部１０に収容されている。断熱材５６ｂ，５６ｂは長板状で、ヒートパイプ４の短辺方向の両側に位置している。断熱材５６ａ，５６ｃはヒートパイプ４の長手方向の両側に位置している。断熱材５６ａには、電熱線５３，５３の電源コード７１ａ、７１ａを埋め込む（埋設する）溝部５６１，５６１が設けてある。断熱材５６ｄは長板状で、図６で左端部に設けてある。
【００３３】
図４及び図６に示すように、ヒートパイプ４の底面側には、粘着層を備えた絶縁シート５７が全体にわたって取り付けてある。この絶縁シート５７は、断熱性と防水性も備えている。
【００３４】
図４で、角部分５０，５０（放熱板５１の底面側と断熱材５６ａの側面側によって構成される部分）には、住宅の床下地等に予め設けられた小根太１（図１参照）が位置する。
【００３５】
図２及び図７に示すように、床暖房用パネルＢの長手方向の一方側（図２で左端側）には、平面視方形状で断面略「コ」状の収容部６が設けてある。図７に示すように、収容部６には電熱線５３の電源コード７１ａやアース線７１ｂ、あるいは接続部５３１等が収容されている。
【００３６】
符号７２ａは電源コード７１ａのコネクタ（ロック機能付き）を示し、符号７２ｂはアース線７１ｂのコネクタ（ロック機能付き）を示している。符号７３は電源コード７１ａを束ねて収容する蛇腹形の樹脂管（ＣＤ管とも称される）を示している。符号５４１は、図６で示した棒状の温度センサ５４ｂのコードを示している。収容部６は、ほぼ平板状の蓋体６１によって開閉可能に閉鎖される。蓋６１はネジ６１１，６１１によって固定される。
【００３７】
図７に示すように、収容部６から床暖房用パネルＢの両長辺部５１１，５１１にかけて、断面略Ｕ字状の収容溝６０ａ，６０ｂが設けてある。一方の収容溝６０ａからは、図７で左側の樹脂管７３が収容部６の外へ引き出されている。そして、床暖房用パネルＢを図１に示すように並設して施工する際に、樹脂管７３内の電源コード７１ａとアース線７１ｂを、隣接する床暖房用パネルＢの他方の収容溝６０ｂから収容部６内に導入する。その後、電源コード７１ａ同士、アース線７１ｂ同士をコネクタ７２ａ，７２ｂを介してそれぞれ接続する。
なお、棒状の温度センサ５４ｂのコード５４１は、同様に収容溝６０ｂから外で引き出されている。
【００３８】
図８ないし図１１は本発明に係るヒートパイプの一実施の形態を示す説明図である。
詳しくは、図８はヒートパイプの底面視説明図、
図９はヒートパイプの側面視説明図である。
なお、図８及び図９に示すヒートパイプ４は、中間部分を一部省略して表している。
図１０はヒートパイプの正面視説明図、
図１１は図８のＩＩＩ−ＩＩＩ部分に対応する断面を示す概略説明図である。
【００３９】
図８ないし図１１を参照して、ヒートパイプ４について説明する。
上記したように、ヒートパイプ４は、平面視で細長い矩形状の閉鎖管であるパイプ本体４０を備えている。ヒートパイプ４の大きさは、図８で縦４０ｍｍ、長さ１５３０ｍｍ、厚さ１０ｍｍであるが、この寸法に特に限定するものではない。
【００４０】
例えばヒートパイプ４の長さを４３０，１２３０，１５３０，２４３０ｍｍ等と数種類揃えておき、床暖房用パネルＢの大きさにあった長さのヒートパイプを選択することもできる。
【００４１】
図１１に示すように、パイプ本体４０は横断面視で扁平状（長円形状）の管状体であり、両上下面がほぼ平行で、左右両側は円弧状に丸く形成されている。
パイプ本体４０は、熱伝導性の良好な材料、例えばアルミニウム，銅，ステンレス、セラミックス等で形成され、内部は真空であり、蒸発しやすい液状の作動流体４２が封入されている。
【００４２】
作動流体としては、例えばエタノールやメタノール等のアルコール系のもの等を挙げることができる。また、作動流体にシリカゲルを混入させたものを使用することもできる。
【００４３】
図１１で、パイプ本体４０の上面部４１は、平らまたは実質的に平らな面によって形成され、放熱面を構成している。これにより、図４に示すように、パイプ本体４０と放熱板５１との接触面積を広くとることができ、ヒートパイプ４から放熱板５１への伝熱効率を高めている。
【００４４】
一方、図８に示すように、パイプ本体４０の底面側には、電熱線５３がＵ字状に折り返して設けられている。詳しくは図１１に示すように、パイプ本体４０の底面部には、ヒートパイプ４の長手方向に沿って断面略Ｕ字状の溝部４３，４３が並設されている。この溝部４３，４３に、電熱線５３の外周面のうち、約２分の１がパイプ本体４０のほぼ全周にわたり埋め込まれている（埋設されている）。即ち、電熱線５３は、作動流体４２が溜まっている部分の外部側に、周面部が接した状態で埋め込まれている。これにより、パイプ本体４０の外周面に電熱線５を単に接触させる場合（いわゆる線接触状態）と比べ、電熱線５３とパイプ本体４０の接触面積が大きくなり、電熱線５３からの熱が作動流体に効率的に伝わる。
【００４５】
なお、パイプ本体４０に埋設する電熱線５３の本数は、二本以上でも良い。また、溝部４３の形状は、溝の開口部が狭い断面略Ω状や、断面略「コ」状に形成することもできる。
また、図示はしていないが、電熱線５３のうち、パイプ本体４０と接触している部分以外は、ガラス繊維による耐熱加工が施してある。
【００４６】
図８で右端側の棒状に形成されているものは、作動流体注入部の残部４４である。即ち、パイプ本体４０を減圧状態にした後、筒状の作動流体注入部（図示省略）から作動流体を注入する。その後、作動流体注入部を潰すことでその残部４４が形成される。
【００４７】
（作　用）
図１２は、ヒートパイプの作用を説明するための説明図であり、全体構造が分かりやすいようにヒートパイプの大きさをやや誇張して表している。
【００４８】
床暖房構造（床暖房構造体）の施工方法を説明しながら、床暖房用パネルＢ及びヒートパイプ４（ヒートパイプ装置）の作用を説明する。
なお、本実施の形態では、床暖房用パネルＢをフローリングの床下に施工するようにしているが、畳の下やコンクリート製の床面等にも施工することができる。
【００４９】
図１に示すように、まず、小根太１，…を床下地１００に所要間隔をおいて施工する。次いで、小根太１，…の間に床暖房用パネルＢを載置して固定する。床暖房用パネルＢの施工の際は、上記したように、放熱板５１の底面側と断熱材５６ｂ，５６ｂの側面部側で構成される角部分５０，５０（図４参照）に小根太１が位置するように構成する。
【００５０】
床暖房用パネルＢは、施工面積に応じて幅方向または長手方向に所要数配置する。なお、床暖房用パネルＢの固定は釘打ち等によって行うが、これに特に限定されない。
【００５１】
図７に示すように収容部６の蓋体６１を外し、隣り合う床暖房用パネルＢの電源コード７１ａ同士とアース線７１ｂ同士をコネクター７２ａ，７２ｂを介してそれぞれ接続する。詳しくは、図２で収容溝６０ａから引き出された電源コード７１ａとアース線７１ｂを、隣接する床暖房用パネルＢの収容溝６０ｂから収容部６内に導入し、対応する電源コード７１ａまたはアース線７１ｂと各々接続する。接続が終われば、蓋体６１を閉じてネジ６１１，６１１で固定する。
【００５２】
このように施工後においては、電源コード７１ａとアース線７１ｂは収容部６と収容溝６０ａ，６０ｂ内に収められ、床暖房用パネルＢから表面へ（放熱板５１の表面から）露出をしないようになっている。これにより、床暖房用パネルＢの敷き込み作業中に、作業者が電源コード７１ａやとアース線７１ｂに足を引っかけて、電源コード７１ａやとアース線７１ｂが外れたり、破損したりする等の不都合は生じにくい。
【００５３】
また、電源コード７１ａ等は収容部６と収容溝６０ａ，６０ｂ内に収まっているので、例えば地震等の災害によって衝撃を受けても、電源コード７１ａ等とヒートパイプ４は実質的に上下同じ動きをする。よって、電源コード７１ａ等が床暖房用パネルＢから外れたり、破損したりする等の不都合は生じにくい。
【００５４】
床暖房用パネルＢ，…の敷き込みが終了したら、並設した床暖房用パネルＢ，…の隙間をアルミニウム製のテープで塞ぐ。次いで、床暖房用パネルＢ上にフローリング床２，…を張設して、床暖房構造Ａを施工する。
【００５５】
図１２を参照する。
床暖房用パネルＢに使用したヒートパイプ４は、パイプ本体４０の底面部に溝部４３，４３を並設し、この溝部４３，４３に電熱線５３，５３の一部（本実施の形態では断面積の約１／２）をパイプ本体４０の長さ方向に埋め込んでいる（埋設している）。これにより、パイプ本体４０の外周面に電熱線４３を単に接触させる場合（いわゆる線接触状態）と比べ、電熱線５３とパイプ本体４０の接触面積が大きくなる。つまり、電熱線５３の周りの約１／２に作動流体４２が存在するため、電熱線５３からの熱は作動流体に効率的に伝わる。このような構成により、電熱線５３で作動流体４２を加熱することにより、作動流体４２の蒸発、凝縮、蒸発のサイクルが活発に繰り返され、ヒートパイプ４の加熱効率は向上する。
【００５６】
更にヒートパイプ４は、図１６に示す従来のものとは相違して、二重管構造とはなっていないため、製造が容易である。また、図１７に示す従来のものとは相違して、溝部４３，４３により、ヒートパイプ４の底面側は底上げしたような構造となっているため、嵩が増えて作動流体も少なくて済む。しかも、水平状態で配設することができるので、床暖房用パネル等の薄形の放熱装置にも好適に使用することができる。
【００５７】
なお、図１に示すように、本実施の形態では床暖房用パネルとして、床面上に予め設けた小根太１，１間に落とし込んで施工するタイプのものを例にとって説明したが、小根太を設けることができないコンクリート面上等に単に敷き込むだけて使用できるタイプのものも例として挙げることができる。
【００５８】
図１３は、その平面敷込みタイプの床暖房用パネルの一実施の形態を示す概略説明図である。この床暖房用パネルＢ１では、図４に示す床暖房用パネルＢと相違して、図１３で左右両側の断熱材５６ｄ，５６ｄが放熱板５１の幅方向の両端まで設けられている。そして、施工時には、床暖房用パネルＢ１の幅方向の両側面部５６０，５６０同士が互いに接するように、床面上に並設していく。
【００５９】
［実施の形態２］＜足温器＞
図１４は本発明に係る放熱装置を足温器として使用した場合の一実施の形態を示す斜視説明図、
図１５は図１４のＩＶ−ＩＶ部分に対応する断面を示す概略拡大説明図である。
なお、図１４及び図１５において、第１の実施の形態と同一または同等箇所には同一の符号を付して示している。また、第１の実施の形態で示してある箇所については、重複する説明を省略し、主に相異点を説明する。
【００６０】
図１４に示すものは、放熱装置である足載せ型の足温器Ｃである。足温器Ｃは平面視長方形状である。足温器Ｃの大きさは、縦約４５０ｍｍ、横約３００ｍｍ、厚さ約４０ｍｍであるが、特にこれに限定するものではない。
【００６１】
放熱パネル５１ａの上面部の裏側のうち、幅方向のほぼ中央部分には図８ないし図１１で示した同様の構造のヒートパイプ４が、上面部に接した状態で固定して設けてある。ヒートパイプ４の周りは、発泡体である断熱材５６ｅで囲まれている。符号５１２は足を載せる部分に設けてある凸部を示し、足が放熱パネル５１ａと直接接しないようにしている。図１４で符号５１３は電源コードを示している。なお、図示はしていないが、ヒートパイプ４の底面部には温度センサが設けてある。
【００６２】
このように、本実施の形態に係るヒートパイプ４を足温器Ｃに採用すれば、電気代を抑えつつ、足元を効果的に暖めることができる。
その他の作用・効果については、第１の実施の形態とほぼ同様であるので、説明を省略する。
【００６３】
なお、本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００６４】
更に、特許請求の範囲には、請求項の記載の内容を理解するため、図面において使用した符号を括弧を用いて記載しているが、特許請求の範囲を図面記載のものに限定するものではない。
【００６５】
【発明の効果】
本発明は上記構成を備え、次の効果を有する。
（ａ）本発明に係るヒートパイプによれば、閉鎖管のうち、作動流体が溜まっている部分の外部側に、周面部が接した状態で電熱線が埋め込まれている。これにより、閉鎖管の外周面に電熱線を単に接触させる場合（いわゆる線接触状態）と比べ、閉鎖管と電熱線との接触面積を増大させることができる。また本発明では、パイプ本体の放熱面は平らまたは実質的に平らになっているので、閉鎖管の放熱面に金属製の放熱板等を接して設ければ、閉鎖管と放熱板との接触面積を広くとることができる。このような構成により、ヒートパイプの伝熱効率は良く、熱損失は少ない。したがって、本発明に係るヒートパイプを床暖房用パネルや足温器等の放熱装置に採用すれば、ランニングコストを低減させることができる。
【００６６】
（ｂ）また、本発明に係るヒートパイプは、従来のものとは相違して、二重管構造とはなっていないため、製造が容易である。また、閉鎖管のうち、作動流体が溜まっている部分の外部側に、電熱線が埋め込まれているため、ヒートパイプの底面側は底上げしたような構造となっている。よって、嵩が増えて作動流体も少なくて済む。しかも、水平状態で配設することができるので、床暖房用パネル等の放熱装置にも好適に使用することができる。
【００６７】
（ｃ）ヒートパイプ間に設けられる電源コードを収容する収容部を備えている床暖房用の放熱装置では、電源コードをパネル体の表面から露出しないように収容できるので、放熱装置の敷き込み作業中に、作業者が電源コードに足を引っかけて、電源コードが外れたり、破損したりすることを防止できる。
【００６８】
【図面の簡単な説明】
【図１】本発明に係る放熱装置を床暖房構造に使用した場合の一実施の形態を示す概略斜視説明図。
【図２】床暖房用パネルの平面視説明図。
【図３】床暖房用パネルの左側面視拡大説明図。
【図４】図２のＩ−Ｉ部分に対応する断面を示す概略拡大説明図。
【図５】図２のＩＩ−ＩＩ部分に対応する断面を示す概略拡大説明図。
【図６】床暖房用パネルの底面視拡大説明図。
【図７】床暖房用パネルの収容部を示す拡大斜視説明図。
【図８】ヒートパイプの底面視説明図。
【図９】ヒートパイプの側面視説明図。
【図１０】ヒートパイプの正面視説明図。
【図１１】図８のＩＩＩ−ＩＩＩ部分に対応する断面を示す概略説明図。
【図１２】ヒートパイプの作用を説明するための説明図。
【図１３】平面敷込みタイプの床暖房用パネルの一実施の形態を示す概略説明図。
【図１４】本発明に係る放熱装置を足温器として使用した場合の一実施の形態を示す斜視説明図。
【図１５】図１４のＩＶ−ＩＶ部分に対応する断面を示す概略拡大説明図。
【図１６】従来のヒートパイプを示す説明図。
【図１７】従来の他のヒートパイプを示す説明図。
【符号の説明】
Ａ　床暖房構造
Ｂ　床暖房用パネル
Ｃ　足温器
１　小根太
２　フローリング床
３　コントローラー
４　ヒートパイプ
４０　パイプ本体
４１　上面部
４２　作動流体
４３　溝部
４４　熱媒体注入部の残部
５０　角部分
５１　放熱板
５１１　長辺部
５１２　凸部
５１３　電源コード
５２　テープ
５３　電熱線
５３１　接続部
５４ａ，５４ｂ　温度センサ
５６，５６ａ，５６ｂ，５６ｃ，５６ｄ，５６ｅ　断熱材
５６０　側面部
５７　絶縁シート
６　収容部
６０ａ，６０ｂ　溝部
６１　蓋体
７１ａ　電源コード
７１ｂ　アース線
７２ａ，７２ｂ　コネクタ
７３　樹脂管
１００　床下地
６０，６０　溝部
６１１　ネジ
【図１】
2004092944.tif 000003
【図２】
2004092944.tif 000004
【図３】
2004092944.tif 000005
【図４】
2004092944.tif 000006
【図５】
2004092944.tif 000007
【図６】
2004092944.tif 000008
【図７】
2004092944.tif 000009
【図８】
2004092944.tif 000010
【図９】
2004092944.tif 000011
【図１０】
2004092944.tif 000012
【図１１】
2004092944.tif 000013
【図１２】
2004092944.tif 000014
【図１３】
2004092944.tif 000015
【図１４】
2004092944.tif 000016
【図１５】
2004092944.tif 000017
【図１６】
2004092944.tif 000018
【図１７】
2004092944.tif 000019